(57)【要約】【課題】  複数の動画コンテンツの同時再生のためのデータ伝送方法及びその装置、複数の動画コンテンツの同時再生方法及びその装置を提供する。【解決手段】  複数の動画コンテンツを一つの動画コンテンツにエンコーディングし、そのエンコーディングされた動画コンテンツを送信し、その動画コンテンツを受信した装置の画面に複数の動画コンテンツを所望の位置に出力することにより、ユーザが検索のためにチャンネルを頻繁に移動せねばならない不便さを除去し、チャンネル検索中にも他のチャンネルの内容が確認でき、それぞれの動画コンテンツを多様なレイアウト形式で出力しうる。【選択図】      図９
2008136205.tif 000002
【特許請求の範囲】
【請求項１】
複数の動画コンテンツの同時再生のためのデータ伝送方法において、
複数の動画コンテンツを一つの動画コンテンツにエンコーディングするステップと、
前記エンコーディングされた動画コンテンツを送信するステップと、を含むことを特徴とする伝送方法。
【請求項２】
前記エンコーディングするステップ前に、
同時再生される複数の動画コンテンツを特定するリスト情報を受信するステップをさらに含み、
前記エンコーディングするステップは、前記受信されたリスト情報によって特定された複数の動画コンテンツを一つの動画コンテンツにエンコーディングすることを特徴とする請求項１に記載の伝送方法。
【請求項３】
前記送信するステップは、
前記エンコーディングされた動画コンテンツと、前記複数の動画コンテンツが再生される位置を表す位置情報を含むメタデータとを送信することを特徴とする請求項１に記載の伝送方法。
【請求項４】
前記メタデータは、
前記複数のコンテンツの題目、再生時間、制作社についての情報、前記複数のコンテンツの解像度及びサイズについての情報のうち少なくとも一つをさらに含むことを特徴とする請求項３に記載の伝送方法。
【請求項５】
複数の放送チャンネルからエンコーディングされている複数の動画コンテンツを受信するステップと、
前記エンコーディングされた複数の動画コンテンツをデコーディングするステップと、をさらに含むことを特徴とする請求項１に記載の伝送方法。
【請求項６】
前記エンコーディングするステップは、
前記複数のコンテンツのそれぞれの動画のサイズを縮少して、前記一つの動画コンテンツ内に順次に配置することを特徴とする請求項１に記載の伝送方法。     
【請求項７】
前記リスト情報を受信するステップは、
前記同時再生されるコンテンツの数、前記複数のコンテンツの解像度についての情報のうち少なくとも一つをさらに受信することを特徴とする請求項２に記載の伝送方法。
【請求項８】
複数の動画コンテンツの同時再生方法において、
複数の動画コンテンツがエンコーディングされた一つの動画コンテンツを受信するステップと、
前記エンコーディングされた動画コンテンツをデコーディングするステップと、
前記デコーディングされた動画コンテンツに含まれた前記複数の動画コンテンツを画面上に再配置して出力するステップと、を含むことを特徴とする再生方法。
【請求項９】
前記受信するステップは、前記動画コンテンツがエンコーディングされた一つの動画コンテンツ、及び前記複数の動画コンテンツが再生される位置を表す位置情報を含むメタデータを受信し、前記出力するステップは、前記受信されたメタデータに基づいて前記複数の動画コンテンツを画面上に再配置して出力することを特徴とする請求項８に記載の再生方法。
【請求項１０】
前記メタデータは、
前記複数のコンテンツの題目、再生時間、制作社に関する情報、前記コンテンツの解像度及びサイズのうち少なくとも一つをさらに含むことを特徴とする請求項９に記載の再生方法。
【請求項１１】
再配置されて出力された前記複数のコンテンツのうち一つが選択されれば、その選択されたコンテンツを全体画面に出力するステップをさらに含むことを特徴とする請求項８に記載の再生方法。
【請求項１２】
前記出力するステップは、
前記複数のコンテンツをＰＩＰ方式で再配置して出力することを特徴とする請求項８に記載の再生方法。
【請求項１３】
前記出力するステップは、
前記複数のコンテンツをサムネール方式で再配置して出力することを特徴とする請求項８に記載の再生方法。
【請求項１４】
前記出力するステップは、
前記メタデータに基づいて前記複数のコンテンツを前記複数のコンテンツの題目、再生時間、制作社についての情報のうち少なくとも一つと共に再配置して出力することを特徴とする請求項９に記載の再生方法。
【請求項１５】
前記サムネール方式で再配置されたコンテンツは、前記メタデータ値と異なる解像度またはサイズで出力されることを特徴とする請求項１３に記載の再生方法。
【請求項１６】
複数の動画コンテンツの同時再生のためのデータ伝送装置において、
複数の動画コンテンツを一つの動画コンテンツにエンコーディングするエンコーダと、
前記エンコーディングされた動画コンテンツを送信する送信部と、を備えることを特徴とする伝送装置。
【請求項１７】
同時再生される複数の動画コンテンツを特定するリスト情報を受信する受信部をさらに備え、
前記エンコーダは、前記受信されたリスト情報によって特定された複数の動画コンテンツを一つの動画コンテンツにエンコーディングすることを特徴とする請求項１６に記載の伝送装置。
【請求項１８】
前記送信部は、
前記エンコーディングされた動画コンテンツと、前記複数の動画コンテンツが再生される位置を表す位置情報を含むメタデータとを送信することを特徴とする請求項１６に記載の伝送装置。
【請求項１９】
前記メタデータは、
前記複数のコンテンツの題目、再生時間、制作社についての情報のうち少なくとも一つをさらに含むことを特徴とする請求項１８に記載の伝送装置。
【請求項２０】
エンコーディングされて受信される複数の動画コンテンツをデコーディングするデコーダをさらに備え、
前記受信部は、複数の放送チャンネルからエンコーディングされている複数の動画コンテンツを受信することを特徴とする請求項１６に記載の伝送装置。
【請求項２１】
前記エンコーダは、
前記複数のコンテンツのそれぞれの動画のサイズを縮少して、前記一つの動画コンテンツ内に順次に配置することを特徴とする請求項１６に記載の伝送装置。
【請求項２２】
前記複数の動画コンテンツを保存する保存部をさらに備えることを特徴とする請求項１６に記載の伝送装置。
【請求項２３】
前記受信部は、
前記同時再生されるコンテンツの数、前記複数のコンテンツの解像度についての情報のうち少なくとも一つをさらに受信することを特徴とする請求項１７に記載の伝送装置。
【請求項２４】
複数の動画コンテンツの同時再生装置において、
複数の動画コンテンツがエンコーディングされた一つの動画コンテンツを受信する受信部と、
前記エンコーディングされた動画コンテンツをデコーディングするデコーダと、
前記デコーディングされた動画コンテンツに含まれた前記複数の動画コンテンツを画面上に再配置して出力する出力部と、を備えることを特徴とする再生装置。
【請求項２５】
前記受信部は、
前記複数の動画コンテンツがエンコーディングされた一つの動画コンテンツ及び前記複数の動画コンテンツが再生される位置を表す位置情報を含むメタデータを受信し、前記出力部は、前記受信されたメタデータに基づいて、前記複数の動画コンテンツを画面上に再配置して出力することを特徴とする請求項２４に記載の再生装置。
【請求項２６】
前記メタデータは、
前記複数のコンテンツの題目、再生時間、制作社についての情報、前記コンテンツの解像度及びサイズのうち少なくとも一つをさらに含むことを特徴とする請求項２４に記載の再生装置。
【請求項２７】
前記出力部は、
再配置されて出力された前記複数のコンテンツのうち一つが選択されれば、その選択されたコンテンツを全体画面に出力するステップをさらに含むことを特徴とする請求項２４に記載の再生装置。
【請求項２８】
前記出力部は、
前記複数のコンテンツをＰＩＰ方式で再配置して出力することを特徴とする請求項２４に記載の再生装置。
【請求項２９】
前記出力部は、
前記複数のコンテンツをサムネール方式で再配置して出力することを特徴とする請求項２４に記載の再生装置。
【請求項３０】
前記出力部は、
前記メタデータに基づいて、前記複数のコンテンツを前記複数のコンテンツの題目、再生時間、制作社についての情報のうち少なくとも一つと共に再配置して出力することを特徴とする請求項２５に記載の再生装置。
【請求項３１】
前記出力部は、
前記サムネール方式で再配置されたコンテンツを前記メタデータ値と異なる解像度またはサイズで出力することを特徴とする請求項２９に記載の再生装置。
【請求項３２】
請求項１に記載の方法を実行させるためのプログラムが記録されたコンピュータで読み取り可能な記録媒体。
【請求項３３】
請求項８に記載の方法を実行させるためのプログラムが記録されたコンピュータで読み取り可能な記録媒体。
【発明の詳細な説明】
【技術分野】
【０００１】
本発明は、複数の動画コンテンツの同時再生のためのデータ伝送方法及びその装置、複数の動画コンテンツの同時再生方法及びその装置に関する。
【背景技術】
【０００２】
一般的に、ＴＶを視聴している最中に他のチャンネルでどんなプログラムを放映しているかを確認しようとすれば、チャンネルを直接移動してどんなプログラムを放映しているかを直接確認する方法を使用する。しかしながら、このような方法は、チャンネルの数字ほどチャンネルを移動して確認する動作を反復せねばならず、このようにチャンネルを検索する間には、さらに他のチャンネルでは、どんなプログラムを放映しているか確認できないという短所があった。
【０００３】
このような短所を克服するために、ＰＩＰ（ピクチャー  イン  ピクチャー）画面を利用して複数のチャンネルを出力する方法が開発された。このような方法は、現在視聴している放送以外にも、ＰＩＰ画面を通じて多様なチャンネルの放送を確認できるので、相対的にチャンネルの移動回数が減り、チャンネルの検索中にも現在視聴中である放送の内容を確認し続けることができるという長所がある。しかしながら、このようにＰＩＰを利用して放送を出力する場合には、ほとんど２個のチャンネルのみを再生する場合が多く、たとえ複数のチャンネルの映像を出力する場合であるとしても、選択されたチャンネルでの放送を除外した残りのチャンネルでの放送は、何れも静止画面で構成されるという問題点がある。このとき、選択されたチャンネル外の放送を静止画面で構成する理由は、全てのチャンネルの放送を一画面に同時に動画で再生すれば、ネットワークトラフィックの量が非常に増加してＴＶに過負荷が発生して、チャンネルの検索が難しくなるためである。
【０００４】
このように、従来の技術は、放送局から受信された動画コンテンツを同時に一画面に再生できないため、ユーザがチャンネルの検索のために頻繁にチャンネルを移動せねばならず、検索のために選択されたチャンネル以外のチャンネルに対しては、現在放映されている内容が確認できないという短所があった。
【発明の開示】
【発明が解決しようとする課題】
【０００５】
本発明の目的は、一画面に同時に複数の動画コンテンツを出力することにより、ユーザが検索のためにチャンネルを頻繁に移動せねばならない不便さを除去し、チャンネル検索中にも他のチャンネルの内容が確認できる、複数の動画コンテンツの同時再生のためのデータ伝送方法及びその装置、複数の動画コンテンツの同時再生方法及びその装置を提供することである。
【課題を解決するための手段】
【０００６】
前記目的を達成するための本発明による複数の動画コンテンツの同時再生のためのデータ伝送方法は、複数の動画コンテンツを一つの動画コンテンツにエンコーディングするステップと、前記エンコーディングされた動画コンテンツを送信するステップとを含む。
【０００７】
望ましくは、本発明による複数の動画コンテンツの同時再生のためのデータ伝送方法は、前記エンコーディングするステップ前に、同時再生される複数の動画コンテンツを特定するリスト情報を受信するステップをさらに含み、前記エンコーディングするステップは、前記受信されたリスト情報によって特定された複数の動画コンテンツを一つの動画コンテンツにエンコーディングすることを特徴とする。
【０００８】
望ましくは、前記送信するステップは、前記エンコーディングされた動画コンテンツと、前記複数の動画コンテンツが再生される位置を表す位置情報を含むメタデータとを送信することを特徴とする。
【０００９】
望ましくは、前記メタデータは、前記複数のコンテンツの題目、再生時間、制作社についての情報、前記複数のコンテンツの解像度及びサイズについての情報のうち少なくとも一つをさらに含む。
【００１０】
望ましくは、本発明による複数の動画コンテンツの同時再生のためのデータ伝送方法は、複数の放送チャンネルからエンコーディングされている複数の動画コンテンツを受信するステップと、前記エンコーディングされた複数の動画コンテンツをデコーディングするステップとをさらに含む。
【００１１】
望ましくは、前記エンコーディングするステップは、前記複数のコンテンツのそれぞれの動画のサイズを縮少して、前記一つの動画コンテンツ内に順次に配置することを特徴とする。
【００１２】
望ましくは、前記リスト情報を受信するステップは、前記同時再生されるコンテンツの数、前記複数のコンテンツの解像度についての情報のうち少なくとも一つをさらに受信することを特徴とする。
【００１３】
また、前記目的を達成するための本発明による複数の動画コンテンツの同時再生方法は、複数の動画コンテンツがエンコーディングされた一つの動画コンテンツを受信するステップと、前記エンコーディングされた動画コンテンツをデコーディングするステップと、前記デコーディングされた動画コンテンツに含まれた前記複数の動画コンテンツを画面上に再配置して出力するステップとを含む。
【００１４】
望ましくは、前記受信するステップは、前記動画コンテンツがエンコーディングされた一つの動画コンテンツ、及び前記複数の動画コンテンツが再生される位置を表す位置情報を含むメタデータを受信し、前記出力するステップは、前記受信されたメタデータに基づいて、前記複数の動画コンテンツを画面上に再配置して出力することを特徴とする。
【００１５】
望ましくは、前記メタデータは、前記複数のコンテンツの題目、再生時間、制作社についての情報、前記コンテンツの解像度及びサイズのうち少なくとも一つをさらに含む。
【００１６】
望ましくは、本発明による複数の動画コンテンツの同時再生方法は、再配置されて出力された前記複数のコンテンツのうち一つが選択されれば、その選択されたコンテンツを全体画面に出力するステップをさらに含む。
【００１７】
望ましくは、前記出力するステップは、前記複数のコンテンツをＰＩＰ方式で再配置して出力することを特徴とする。
【００１８】
望ましくは、前記出力するステップは、前記複数のコンテンツをサムネール方式で再配置して出力することを特徴とする。
【００１９】
望ましくは、前記出力するステップは、前記メタデータに基づいて、前記複数のコンテンツを前記複数のコンテンツの題目、再生時間、制作社に関する情報のうち少なくとも一つと共に再配置して出力することを特徴とする。
【００２０】
望ましくは、前記サムネール方式で再配置されたコンテンツは、前記メタデータ値と異なる解像度またはサイズで出力されることを特徴とする。
【００２１】
また、前記目的を達成するための本発明による複数の動画コンテンツの同時再生のためのデータ伝送装置は、複数の動画コンテンツを一つの動画コンテンツにエンコーディングするエンコーダと、前記エンコーディングされた動画コンテンツを送信する送信部とを備える。
【００２２】
望ましくは、本発明による複数の動画コンテンツの同時再生のためのデータ伝送装置は、同時再生される複数の動画コンテンツを特定するリスト情報を受信する受信部をさらに備え、前記エンコーダは、前記受信されたリスト情報によって特定された複数の動画コンテンツを一つの動画コンテンツにエンコーディングすることを特徴とする。
【００２３】
望ましくは、本発明による複数の動画コンテンツの同時再生のためのデータ伝送装置は、エンコーディングされて受信される複数の動画コンテンツをデコーディングするデコーダをさらに備え、前記受信部は、複数の放送チャンネルからエンコーディングされている複数の動画コンテンツを受信することを特徴とする。
【００２４】
望ましくは、本発明による複数の動画コンテンツの同時再生のためのデータ伝送装置は、前記複数の動画コンテンツを保存する保存部をさらに備える。
【００２５】
また、前記目的を達成するための本発明による複数の動画コンテンツの同時再生装置は、複数の動画コンテンツがエンコーディングされた一つの動画コンテンツを受信する受信部と、前記エンコーディングされた動画コンテンツをデコーディングするデコーダと、前記デコーディングされた動画コンテンツに含まれた前記複数の動画コンテンツを画面上に再配置して出力する出力部とを備える。
【００２６】
また、前記目的を達成するために、本発明は、複数の動画コンテンツの同時再生のためのデータ伝送方法をコンピュータで実行させるためのプログラムを記録したコンピュータで読み取り可能な記録媒体を提供する。
【００２７】
また、前記目的を達成するために、本発明は、複数の動画コンテンツの同時再生方法をコンピュータで実行させるためのプログラムを記録したコンピュータで読み取り可能な記録媒体を提供する。
【発明の効果】
【００２８】
本発明の目的は、一画面に同時に複数の動画コンテンツを出力することにより、ユーザが検索のためにチャンネルを頻繁に移動せねばならない不便さを除去し、チャンネル検索中にも他のチャンネルの内容を確認しうる。また、それぞれの動画コンテンツを所望の位置に出力可能であるので、多様なレイアウト形式で出力しうる。
【発明を実施するための最良の形態】
【００２９】
以下、添付された図面を参照して本発明の望ましい実施形態について説明する。
【００３０】
図１は、本発明による複数の動画コンテンツの同時再生のためのデータ伝送装置の一実施形態を示す図である。
【００３１】
本発明による複数の動画コンテンツの同時再生のためのデータ伝送装置は、受信部１１０、保存部１２０、デコーダ１３０、エンコーダ１４０及び送信部１５０を備える。
【００３２】
受信部１１０は、複数の放送チャンネルからエンコーディングされている動画コンテンツを受信し、このような動画コンテンツのうち同時再生される複数の動画コンテンツを特定するリスト情報を受信する。
【００３３】
例えば、受信部１１０が受信した放送チャンネルの動画コンテンツが２０個であるとしても、同時に再生される動画コンテンツのリスト情報には、１〜９までのチャンネルのみが含まれている。
【００３４】
このとき、ユーザは、同時再生されるコンテンツの数、同時再生されるそれぞれのコンテンツの解像度についての情報を共に送信しうる。すなわち、前記例では、受信部１１０は、９個のコンテンツを３２０＊２４０の解像度で再生せよという情報を受信しうる。
【００３５】
また、同時に再生されるコンテンツは、放送チャンネルから受信される動画コンテンツだけでなく、後述するデータ伝送装置の保存部１２０に保存されている映画のような動画コンテンツも含まれる。
【００３６】
保存部１２０は、複数の動画コンテンツを保存する。このとき、保存部１２０は、受信部１１０からリアルタイムで放送されている放送チャンネルの動画コンテンツを受信して保存することもあり、既存に受信した放送チャンネルの動画コンテンツを保存しておくこともある。また、それ以外の他の経路を通じて動画コンテンツを受信して保存することもある。例えば、映画制作社または映画配給社から映画コンテンツを購買して保存部に保存しておくこともある。
【００３７】
デコーダ１３０は、エンコーディングされて受信される複数の動画コンテンツをデコーディングする。
【００３８】
このとき、デコーダ１３０は、受信部１１０または保存部１２０から複数の動画コンテンツを受信することができ、受信部１１０から動画コンテンツを受信する場合には、現在放送チャンネルからリアルタイムで受信される動画コンテンツを直ぐデコーディングする。
【００３９】
エンコーダ１４０は、受信されたリスト情報によって特定された複数の動画コンテンツを一つの動画コンテンツにエンコーディングする。
【００４０】
例えば、リスト情報にチャンネル１〜９までの動画コンテンツが含まれた場合には、２０個の動画コンテンツのうち１〜９までのチャンネルの動画コンテンツのみが一つの動画コンテンツにエンコーディングされる。
【００４１】
図２は、本発明による複数の動画コンテンツの同時再生のためのデータ伝送装置が複数の動画コンテンツをエンコーディングする方法を説明するために示す図である。図２を参照するに、まず、それぞれの動画コンテンツ２１０ａ，２２０ａ，２３０ａ，２４０ａが縮少された動画コンテンツ２１０ｂ，２２０ｂ，２３０ｂ，２４０ｂに変換され、このように縮少された動画コンテンツ２１０ｂ，２２０ｂ，２３０ｂ，２４０ｂが上から順次に配されて、一つの動画コンテンツ２１０ｃ，２２０ｃ，２３０ｃ，２４０ｃにエンコーディングされる。但し、このような配置は、具現例によって変わりうる。
【００４２】
送信部１５０は、エンコーディングされた動画コンテンツと、複数の動画コンテンツが再生される位置を表す位置情報を含むメタデータとを送信する。このとき、メタデータには、複数のコンテンツの題目、再生時間、制作社についての情報、複数のコンテンツの解像度及びサイズについての情報が含まれる。
【００４３】
但し、送信部１５０は、前記のようにメタデータをエンコーディングされた動画コンテンツと共に送信することもあるが、メタデータなしに動画コンテンツのみを送信することもある。
【００４４】
また、エンコーディングされた動画コンテンツと共にメタデータを受信した再生装置も、必ずしもメタデータに含まれている位置情報によってエンコーディングされた動画コンテンツに含まれている複数の動画コンテンツを再配置して出力せねばならないというのではなく、再生装置に設定されている形式によって、動画コンテンツを色々な形式で再配置して出力することもある。
【００４５】
但し、再生装置が多様な形式の出力方法を提供する場合にも、再生装置が必ず送信部１５０から送信したメタデータに基づいて、動画コンテンツを再配置するように命令することもある。
【００４６】
図３は、本発明によるメタデータの位置情報を説明するために示す図である。図３を参照するに、左側上段の動画コンテンツ３１０は、（ｘ１，ｙ１）、（ｘ２，ｙ２）、（ｘ３，ｙ３）、（ｘ４，ｙ４）の４個の座標によって位置が特定される。メタデータは、このようにそれぞれの動画コンテンツ３１０，３２０，３３０，３４０に対する位置を特定できる座標情報を含んでいる。但し、このとき、（ｘ１，ｙ１）、（ｘ４，ｙ４）のように、対角線の座標のみでも位置が特定される場合には、２個の座標情報を有することもある。
【００４７】
但し、このような動画の位置情報は、前記の座標情報に限定されず、動画コンテンツの位置を特定できる全ての形式の情報を含む。
【００４８】
図４は、本発明による複数の動画コンテンツの同時再生のためのデータ伝送装置の動作を説明するために示すフローチャートである。
【００４９】
ステップ４１０では、同時再生される複数の動画コンテンツを特定するリスト情報を受信する。
【００５０】
前述したように、このとき、同時に再生されるコンテンツの数、コンテンツの解像度についての情報を共に受信しうる。
【００５１】
ステップ４２０では、受信されたリスト情報によって特定された複数の動画コンテンツを一つの動画コンテンツにエンコーディングする。
【００５２】
このとき、前述したように、一つの動画コンテンツにエンコーディングされる複数の動画コンテンツは、放送局から受信されたコンテンツか、保存部１２０に保存されている動画コンテンツとなりうる。
【００５３】
ステップ４３０では、エンコーディングされた動画コンテンツと、複数の動画コンテンツが再生される位置を表す位置情報を含むメタデータとを送信する。
【００５４】
このとき、メタデータは、同時再生される動画コンテンツの題目、再生時間、制作社についての情報を含みうる。
【００５５】
以下では、複数の動画コンテンツの同時再生装置の構成及び動作について説明する。
【００５６】
図５は、本発明による複数の動画コンテンツの同時再生装置の一実施形態を示す図である。図５を参照するに、本発明による複数の動画コンテンツの同時再生装置は、受信部５１０、デコーダ５２０、出力部５３０を備える。
【００５７】
受信部５１０は、複数の放送チャンネルからエンコーディングされている動画コンテンツを受信し、複数の動画コンテンツがエンコーディングされた一つの動画コンテンツと、複数の動画コンテンツが再生される位置を表す位置情報を含むメタデータとを受信する。
【００５８】
但し、前述したように、受信部５１０は、メタデータなしに複数の動画コンテンツがエンコーディングされた一つの動画コンテンツのみを受信することもある。
【００５９】
受信部５１０は、複数の動画コンテンツを放送チャンネルから受信する時には、アナログ信号またはデジタル信号として受信し、複数の動画コンテンツの同時再生装置からエンコーディングされた一つの動画コンテンツを受信する時には、デジタル信号として受信する。このとき、デジタル信号として受信する時には、ＩＰ（インターネット  プロトコル）パケットの形態で動画コンテンツを受信する。
【００６０】
一方、受信部５１０は、受信した動画コンテンツを再生するために多様な種類のコーデックを受信することもある。
【００６１】
後述する出力部５３０が全体画面で動画を再生しようとする場合には、アナログ信号として受信された動画コンテンツ、またはデジタル信号として受信された動画コンテンツに含まれている複数の動画コンテンツのうち一つを選択して全体画面で再生する。
【００６２】
このとき、放送チャンネルが複数の動画コンテンツの同時再生装置の機能を行うサーバを含んでいる場合には、それぞれの放送チャンネルがアナログ形式の放送信号とデジタル形式のデータとを何れも送信する。
【００６３】
デコーダ５２０は、エンコーディングされた動画コンテンツをデコーディングする。
【００６４】
このとき、従来の技術は、複数の放送チャンネルから放送信号を受信する場合に、デコーディングも数回を行わねばならなかったが、本願発明の場合には、複数の動画コンテンツを一つの動画コンテンツにエンコーディングして受信するので、デコーディングもただ一回のみでよいという長所がある。また、このように、ただ一回のデコーディングを行うため、本発明による複数の動画コンテンツの同時再生装置がシステムに対する過負荷なしに受信した一つの動画コンテンツに含まれた複数の動画コンテンツを再配置して出力することが可能である。
【００６５】
出力部５３０は、受信されたメタデータに基づいてデコーディングされた動画コンテンツに含まれた複数の動画コンテンツを画面上に再配置して出力する。
【００６６】
このとき、出力部５３０は、メタデータの位置情報から複数の動画コンテンツのそれぞれの位置を把握し、その複数の動画コンテンツを新たな座標に再配置して出力する。また、画面に再生されるそれぞれの動画コンテンツは、何れも静止画面でない動画の形態で再生される。このよう再配置は、複数の動画コンテンツの同時再生装置自体に定められた形式に従う。
【００６７】
例えば、図６及び図７の形式のうち一つがユーザによって選択されて出力されるか、または装置に設定された形式によって出力される。すなわち、一つの装置で色々な形式の出力画面を提供する場合には、ユーザがそのうち一つの形式を選択すれば、それにより、動画コンテンツが再配置されて出力されるが、一つの装置で一つの形式の出力画面のみを提供する場合には、受信した動画コンテンツがその装置に設定されている形式によって再配置されて出力される。 
図６は、本発明による複数の動画コンテンツを再配置する方法の一実施形態を示す図である。図６は、複数の動画コンテンツがＰＩＰ方式で再配置されて出力された画面を示す図である。図６を参照するに、左側の一つの動画コンテンツに含まれた４個の動画コンテンツ６１０ａ，６２０ａ，６３０ａ，６４０ａのうち一つ６１０ｂは、全体画面で表示され、残りの動画コンテンツ６２０ｂ，６３０ｂ，６４０ｂは、小さな画面で表示される。
【００６８】
図７は、本発明による複数の動画コンテンツを再配置する方法の第２実施形態を示す図である。図７は、複数の動画コンテンツがサムネール方式で再配置されて出力されるところを示す図である。図７を参照するに、左側の一つの動画コンテンツに含まれた４個の動画コンテンツ７１０ａ，７２０ａ，７３０ａ，７４０ａがサムネール方式で再配置されて出力されている。このように、サムネール方式で出力された動画コンテンツ７１０ｂ，７２０ｂ，７３０ｂ，７４０ｂの下段にそれぞれの動画コンテンツに関連した情報が表示されている。このような情報は、動画コンテンツの題目、再生時間、制作社、登場人物についての情報を含みうる。
【００６９】
図６及び図７で、画面に出力された動画コンテンツのうち一つを選択すれば、その選択された動画コンテンツが全体画面で表示される。このとき、選択されていない動画コンテンツを画面に表示するか否かは、ユーザの選択によって決定される。すなわち、ユーザが選択しない動画コンテンツが画面に表示されることを所望する場合には、全体画面で表示される動画コンテンツ上に選択されない動画コンテンツが小さな画面でもって重畳されて表示され続けるが、その他の場合には、選択された動画コンテンツのみが全体画面で表示される。
【００７０】
図８は、本発明による複数の動画コンテンツの同時再生方法を説明するために示すフローチャートである。
【００７１】
ステップ８１０では、複数の動画コンテンツがエンコーディングされた一つの動画コンテンツと、複数の動画コンテンツが再生される位置を表す位置情報を含むメタデータとを受信する。
【００７２】
このとき、前述したように、メタデータなしに複数の動画コンテンツがエンコーディングされた一つの動画コンテンツのみを受信することもある。
【００７３】
ステップ８２０では、エンコーディングされた動画コンテンツをデコーディングする。
【００７４】
ステップ８３０では、受信されたメタデータに基づいて、デコーディングされた動画コンテンツに含まれた複数の動画コンテンツを画面上に再配置して出力する。
【００７５】
前述したように、このとき、画面に出力された動画コンテンツのうち一つを選択すれば、その選択された動画コンテンツは、全体画面で表示される。
【００７６】
図９は、本発明によるデータ伝送方法及び動画コンテンツの同時再生方法の動作の一実施形態を説明するために示す図である。図９を参照するに、まず、ＴＶ  ９３０は、サーバ９２０に同時再生される複数の動画コンテンツを特定するリスト情報を送信する。サーバ９２０は、受信されたリスト情報によって特定された複数の動画コンテンツを一つの動画コンテンツにエンコーディングした後、そのエンコーディングされた動画コンテンツをＴＶ  ９３０に送信する。例えば、サーバ９２０は、ＨＢＯ、ＣＮＮ、ＥＳＰＮ、ケーブルＴＶのような放送局９１０から受信された動画コンテンツをデコーディングし、再び一つの動画コンテンツにエンコーディングしてＴＶ  ９３０に送信する。
【００７７】
ＴＶ  ９３０は、受信した動画コンテンツをデコーディングし、一つの動画コンテンツに含まれた動画コンテンツの位置を再配置して画面に出力する。
【００７８】
このとき、ＴＶ  ９３０は、前述したように、位置情報を含むメタデータを共に受信することもある。
【００７９】
画面に出力された動画コンテンツのうち一つが選択されれば、その選択された動画コンテンツが全体画面で表示されるが、このとき、ＴＶ  ９３０は、放送局９１０から受信したアナログ信号またはデジタル信号形式の動画コンテンツを全体画面で表示することもあり、サーバ９２０から受信されたデジタル信号形態の動画コンテンツを全体画面で表示することもある。
【００８０】
図１０は、本発明によるデータ伝送方法及び動画コンテンツの同時再生方法の動作の第２実施形態を説明するために示す図である。
【００８１】
図１０を参照するに、まず、ＴＶ  １０２０は、サーバ１０１０に同時再生される複数の動画コンテンツを特定するリスト情報を送信する。
【００８２】
サーバ１０１０は、サーバ自体に保存されている動画コンテンツをデコーディングし、そのデコーディングされた動画コンテンツを一つの動画コンテンツにエンコーディングした後、そのエンコーディングされた一つの動画コンテンツをＴＶ  １０２０に送信する。
【００８３】
ＴＶ  １０２０は、受信した動画コンテンツをデコーディングし、その動画コンテンツに含まれた動画コンテンツの位置を再配置して画面に出力する。
【００８４】
前述したように、ＴＶ  １０２０は、位置情報を含むメタデータを共に受信できる。
【００８５】
一方、前述した本発明の実施形態は、コンピュータで実行できるプログラムで作成可能であり、コンピュータで読み取り可能な記録媒体を利用して、前記プログラムを動作させる汎用ディジタルコンピュータで具現される。
【００８６】
前記コンピュータで読み取り可能な記録媒体は、マグネチック保存媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような保存媒体を含む。
【００８７】
以上、本発明についてその望ましい実施形態を中心に説明した。当業者は、本発明が本発明の本質的な特性から逸脱しない範囲で変形された形態で具現されるということが分かるであろう。したがって、開示された実施形態は、限定的な観点でなく、説明的な観点で考慮されねばならない。本発明の範囲は、前述した説明でなく、特許請求の範囲に現れており、それと同等な範囲内にある全ての差異点は、本発明に含まれていると解釈されねばならない。
【産業上の利用可能性】
【００８８】
本発明は、テレビ視聴関連の技術分野に適用可能である。
【図面の簡単な説明】
【００８９】
【図１】本発明による複数の動画コンテンツの同時再生のためのデータ伝送装置の一実施形態を示す図である。
【図２】本発明による複数の動画コンテンツの同時再生のためのデータ伝送装置が複数の動画コンテンツをエンコーディングする方法を説明するために示す図である。
【図３】本発明によるメタデータの位置情報を説明するために示す図である。
【図４】本発明による複数の動画コンテンツの同時再生のためのデータ伝送装置の動作を説明するために示すフローチャートである。
【図５】本発明による複数の動画コンテンツの同時再生装置の一実施形態を示す図である。
【図６】本発明による複数の動画コンテンツを再配置する方法の一実施形態を示す図である。
【図７】本発明による複数の動画コンテンツを再配置する方法の第２実施形態を示す図である。
【図８】本発明による複数の動画コンテンツの同時再生方法を説明するために示すフローチャートである。
【図９】本発明によるデータ伝送方法及び動画コンテンツの同時再生方法の動作の一実施形態を説明するために示す図である。
【図１０】本発明によるデータ伝送方法及び動画コンテンツの同時再生方法の動作の第２実施形態を説明するために示す図である。
【符号の説明】
【００９０】
１１０  受信部
１２０  保存部
１３０  デコーダ
１４０  エンコーダ
１５０  送信部
９１０  放送局
９２０  サーバ
９３０  ＴＶ
【図１】
2008136205.tif 000003
【図２】
2008136205.tif 000004
【図３】
2008136205.tif 000005
【図４】
2008136205.tif 000006
【図５】
2008136205.tif 000007
【図６】
2008136205.tif 000008
【図７】
2008136205.tif 000009
【図８】
2008136205.tif 000010
【図９】
2008136205.tif 000011
【図１０】
2008136205.tif 000012